(57)【要約】【課題】自動文書送り装置の給紙機構を提供する。【解決手段】自動文書送り装置の給紙機構は、ピックアップ・モジュール、支持モジュールおよび用紙停止モジュールを含む。ピックアップ・モジュールは、多量の紙シートから最上部の紙シートを取り、その最上部の紙シートを自動文書送り装置の内部の通路に運ぶために使用される。支持モジュールは、ピックアップ・モジュールを支持し、ピックアップ・モジュールを上昇させるか、または下降させるかのいずれかのために回転され、そこで支持モジュールには、その側壁に維持部分がある。支持モジュールおよびピックアップ・モジュールが下方に回転されるとき、最上部の紙シートが通路に運ばれるのを可能にするために、停止板は給紙位置に垂直に移動される。支持モジュールおよびピックアップ・モジュールが上方に回転されるとき、最上部の紙シートが通路に運ばれるのを防ぐために、停止板は給紙位置に垂直に移動される。【選択図】図２ｂ
2008290881.tif 000002
【特許請求の範囲】
【請求項１】
自動文書送り装置の給紙機構であり、前記自動文書給紙機構は、連続して投入トレー上に多量の紙シートを送り込むための前記自動文書送り装置のケーシングと一体化された給紙機構であって、
最上部の紙シートを前記多量の紙シートから取り、自動文書送り装置内部の通路に前記最上部の紙シートを運ぶために、前記用紙投入トレーの近くに配置されるピックアップ・モジュールと、
前記ピックアップ・モジュールを支持して、前記ピックアップ・モジュールを上昇させるか、または下降させるための支持モジュールと、そこで前記支持モジュールには、その側壁に維持部分があり、
前記ケーシングと一体化され、停止板および伝動部材、前記維持部分と接触している前記伝動部材の第一端部、停止板と一体化される前記伝動部材の第二端部を含む用紙停止モジュールを備え、そこで前記停止板は、前記支持モジュールおよび前記ピックアップ・モジュールが下方に回転されるとき、前記支持モジュールおよび前記ピックアップ・モジュールが下方に回転され、前記停止板が給紙位置に移動される前記最上部の紙シートが前記通路に運ばれることができるように、給紙位置に移動され、前記停止板は、前記支持モジュールおよびピックアップ・モジュールが上方に回転されるとき、前記最上部の紙シートが前記通路に運ばれるのを防ぐために、給紙位置に移動されることを特徴とする自動文書送り装置の給紙機構。
【請求項２】
前記ピックアップ・モジュールは、前記多量の紙シートから前記最上部の紙シートを取り出し、前記最上部の紙シートを通路に運ぶためのピックアップ・ローラーおよび分離ローラーを含むことを特徴とする請求項１に記載の給紙機構。
【請求項３】
前記分離ローラーは、分離ローラー車軸を含み、前記支持モジュールは、前記分離ローラー車軸の周りで枢動可能であることを特徴とする請求項２に記載の給紙機構。
【請求項４】
前記伝動部材は、前記支持モジュールの前記維持部分と接触している接触部分および前記停止板の上端部を固定するためのクランプ部分を含むことを特徴とする請求項１に記載の給紙機構。
【請求項５】
枢動可能軸は、前期クランプ部分および前記接触部分の接続領域に配置され、保持アームは、前記枢動可能軸の両末端部を保持するために、前記ケーシングの内面から突き出されることを特徴とする請求項４に記載の給紙機構。
【請求項６】
ケーシングと、
多量の紙シートを置く用紙投入トレーと、
前記用紙投入トレーの近くに配置される給紙機構を備え、
前記多量の紙シートから最上部の紙シートを取り、前記最上部の紙シートを自動文書送り装置内部の通路に運ぶ前記用紙投入トレーの近くに配置されるピックアップ・モジュールと、
前記ピックアップ・モジュールを支持して、前記ピックアップ・モジュールを上昇させるか、または下降させるための支持モジュールと、そこで前記支持モジュールには、その側壁に維持部分があり、
前記ケーシングと一体化され、停止板および伝動部材含む用紙停止モジュールを備え、前記伝動部材の第一端部は前記維持部分と接触して、前記伝動部材の第二端部は前記停止板と一体化され、そこで前記支持モジュールおよび前記ピックアップ・モジュールが下方に回転されるとき、前記最上部の紙シートが前記通路に運ばれることができるように、給紙位置に移動され、前記停止板は、前記支持モジュールおよび前記ピックアップ・モジュールが上方に回転されるとき、前記最上部の紙シートが前記通路に運ばれるのを妨げるために、給紙位置に移動されることを特徴とする自動文書送り装置。
【請求項７】
前記給紙機構によって送り込まれる前記最上部の紙シートを画像処理モジュールに運ぶために、前記給紙機構の近くに配置される転送モジュールをさらに備えることを特徴とする請求項６に記載の自動文書送り装置。
【請求項８】
前記画像処理モジュールによって処理された前記最上部の紙シートを取り出すために前記転送モジュールの近くに配置される取り出しモジュールをさらに備え、用紙取り出しトレーを備え、そこで前記画像モジュールによって処理された前記最上部の紙シートは、前記用紙取り出しトレーに取り出されることを特徴とする請求項７に記載の自動文書送り装置。
【発明の詳細な説明】
【技術分野】
【０００１】
本発明は、給紙機構に関し、特に自動文書送り装置の給紙機構に関する。
【背景技術】
【０００２】
パソコンの影響力が増大するにつれて、さまざまな目的を達成するために、多様な事務機器を、パソコンとともに利用することができる。しかしながら、多様な事務機器は、大きなスペースを占める。例えばプリンター、スキャナー、ファックス装置とコピー機の両方またはそのいずれかの機能など、１つの構造単位に多数の機能のある多機能周辺機器は、よって開発される。結果として、多機能周辺機器の処理能力は増強され、その操作スペースは縮小される。
【０００３】
今日では、プリンター、スキャナー、ファックス装置、コピー機または多機能周辺機器には、普通連続的かつ継続的に多くの紙シートを送り込むための自動文書送り装置がある。スキャンされる多量の紙が自動文書送り装置の用紙投入トレー上に置かれた後、自動文書送り装置の給紙機構は、スキャニング、ファックス送信、走査操作などの関連操作を実行するために、事務機器の内部に紙シートを連続的に運ぶ。
【０００４】
図１ａを参照すると、事務機器とともに使用するための従来の自動文書送り装置の概略断面図が図示される。図１ａの自動文書送り装置１０は、ピックアップ・モジュール１１、転送モジュール１２、取り出しモジュール１３、用紙投入トレー１４および用紙取り出しトレー１５を主として含む。事務機器はさらに、自動文書送り装置１０の下に画像処理モジュール１９およびガラス台１９１を含む。
【０００５】
スキャンされる多量の紙１４１が用紙投入トレー１４上に置かれた後、ピックアップ・モジュール１１は、最上部の紙シートを１枚ずつ、自動文書送り装置１０の内部の通路に連続的に取りあげる可能性がある。次に、紙シートの第一面が画像処理モジュール１９によってスキャンされるように、紙シート１４１は、転送モジュールによってガラス台１９１を越えて運ばれる。第一面がスキャンされた紙シートは、その後取り出しモジュール１３によって、用紙取り出しトレー１５に取り出される。二重走査操作を実行する目的のために、転送モジュール１２はさらに、取り出しモジュール１３の近くの反転部材１２１を含む。紙シート１４１の第一面がスキャンされ、紙シート１４１の大部分が用紙取り出しトレー１５に取り出された後、紙シート１４１は、反転部材１２１によってひっくり返され、その後通路に送り込まれる。次に、紙シートの第二面が画像処理モジュール１９によってスキャンされるように、紙シート１４１は、ガラス台１９１を越えて、転送モジュール１２によって運ばれる。
【０００６】
再度、図１ａを参照してください。ピックアップ・モジュール１１は、ピックアップ・ローラー１６、分離ローラー１７および用紙停止モジュール１８（図１ｂに示されるとおり）を含む。ピックアップ・ローラー１６は、駆動モーター（図示せず）によって、回転するように駆動され、従ってピックアップ・ローラー１６は、上昇または下降する。ピックアップ・ローラー１６が紙シート１４１と接触するように下降するとき、紙シート１４１はピックアップ・ローラー１６によって送り込まれる。分離ローラー１７は、多量の紙シートから最上部の紙シート１４１を引き離すために回転され、それによって転送モジュール１２に紙シートを１枚だけ取り上げる。
【０００７】
図１ｂは、自動文書送り装置１０の用紙停止モジュール１８を示す概略透視図である。用紙停止モジュール１８は、回転軸１８１、クランプ要素１８２および用紙停止板１８３を含む。クランプ要素１８２の端部は、回転軸１８１の周りで覆われ、ばね１８４で固定される。停止板１８１は、時計方向または反時計方向のいずれかに回転する別のモーター（図示せず）によって駆動される。回転軸１８１とクランプ要素１８２の間の摩擦推力の変化のせいで、停止板１８３は、回転軸１８１の周りを枢動可能である。停止板１８３が最上部位置または最下部位置に回転するとき、回転軸１８１に接続されるモーターの空転が行われる。
【０００８】
自動文書送り装置１０によって給紙指示が受けられない場合、ピックアップ・ローラー１６は、スタンバイ位置まで上げられる。その間、停止板１８３は、用紙投入トレー上の紙シート１４１が給紙ポートに運ばれるのを妨げられるように、それに対応して上げられる。
【０００９】
一方で、自動文書送り装置１０によって給紙指示が受けられる場合、回転軸１８１に接続されるモーターは、回転軸１８１に確動駆動力を及ぼす。結果として、回転軸１８１は回転され、停止板１８３は最下部位置まで下方に回転される。一方で、最上部の紙シートは、停止板１８３によって停止されることなく給紙ポートに運ばれる可能性がある。その時、ピックアップ・ローラー１６は、駆動モーターによって駆動され、ピックアップ・ローラー１６が最上部の紙シート１４１と接触する給紙位置に下げられる。分離ローラー１７は、多量の紙シートから最上部の紙シート１４１を分離するように回転して、それによって１枚の紙シートを転送モジュール１２に選ぶ。
【００１０】
自動文書送り装置１０のセンサー（図示せず）が、紙シート１４１が分離ローラー１７に達することを探知するとき、回転軸１８１は、逆方向に回転するモーターによって駆動され、ピックアップ・ローラー１６は、スタンバイ位置まで上げられる。一方で、クランプ要素１８２はまた、逆回転され、停止板１８３は、給紙ポートを停止するように、それに対応して上げられる。最上部の紙シートが用紙取り出しトレー１５に取り出されるまで、上記手順は、残りの紙シートを１枚ずつ連続して送り込むために繰り返される。
【００１１】
前述のとおり、紙シート１４１の第一面がスキャンされ、紙シート１４１の大部分が用紙取り出しトレー１５に取り出された後、紙シート１４１は、反転部材１２１によって反転され、その後通路に送り込まれる。次に、紙シート１４１は、紙シートの第二面が画像処理モジュール１９によってスキャンされるように、転送モジュール１２によってガラス台１９１を越えて運ばれる。従来は、紙シート１４１が反転部材１２１によって反転され、その後通路に送り込まれるとき、回転軸１８１は、回転するモーターによって駆動され、停止板１８３は、最下部位置まで下方に回転される。周知のとおり、紙シート１４１が反転部材１２１によって反転され、その後通路に送り込まれるとき、停止板１８３を最下部位置まで回転させる手順は余分である。なぜなら紙シート１４１は、用紙投入トレー１４よりむしろ用紙取り出しトレー１５から来ているからである。停止板１８３を最下部位置で固定するためのモーターの頻発する空転は、モーターの作動寿命を減じる可能性がある。その上、回転軸１８１を駆動させるためのモーターの使用は、製造原価を増加させる。
【００１２】
従来の方法に起因する上記の不都合を考慮して、出願人は、自動文書送り装置の給紙機構を開発するために、本発明に従って精魂を傾けた経験および研究を通じてたゆまずに開拓し続ける。
【発明の開示】
【発明が解決しようとする課題】
【００１３】
本発明の目的は、紙シートの停止、製造原価の削減および操作上の負担の最小化の性能を強化するために、自動文書送り装置の給紙機構を提供することである。
【００１４】
本発明の一態様に従って、自動文書送り装置の給紙機構が提供される。給紙機構は、用紙投入トレー上に多量の紙シートを連続して送り込むために、自動文書装置のケーシングと一体化される。給紙機構は、ピックアップ・モジュール、支持モジュールおよび用紙停止モジュールを含む。ピックアップ・モジュールは、最上部の紙シートを多量の紙シートから取り出し、自動文書送り装置内部の通路に最上部の紙シートを運ぶための用紙投入トレーの近くに配置される。支持モジュールは、ピックアップ・モジュールを支持し、ピックアップ・モジュールを上昇させるか、または下降させるかのいずれかのために回転され、その点で支持モジュールには、その側壁上の維持部分がある。用紙停止モジュールは、ケーシングに一体化され、停止板および伝動部材を含む。伝動部材の第一端部は、維持部分と接触している。伝動部材の第二端部は停止板と一体化している。支持モジュールおよびピックアップ・モジュールが下方に回転されるとき、停止板は、最上部の紙シートが通路に運ばれることができるように、給紙位置に垂直に移動される。支持モジュールおよびピックアップ・モジュールが上方に回転されるとき、停止板は、最上部の紙シートが通路に運ばれるのを遅らせるために、給紙位置に垂直に移動される。
【００１５】
一実施形態においては、ピックアップ・モジュールは、多量の紙シートから最上部の紙シートを取り出し、最上部の紙シートを通路に運ぶためのピックアップ・ローラーおよび分離ローラーを含む。
【００１６】
一実施形態においては、分離ローラーは、分離ローラー車軸を含み、支持モジュールは、分離ローラー車軸の周りで枢動可能である。
【００１７】
一実施形態においては、伝動部材は、支持モジュールの維持部分と接触している接触部分および停止板の上端部を固定するためのクランプ部分を含む。
【００１８】
一実施形態においては、枢動可能な軸は、クランプ部分および接触部分の接続領域に配置され、保持アームは、枢動可能な軸の両末端部を保持するために、ケーシングの内面から突き出される。
【００１９】
本発明の別の態様に従って、自動文書送り装置が提供される。自動文書送り装置は、ケーシング、上に多量の紙シートを置くための用紙投入トレーおよび給紙機構を含む。給紙機構は、ピックアップ・モジュール、支持モジュールおよび用紙停止モジュールを含む。ピックアップ・モジュールは、最上部の紙シートを多量の紙シートから取り出し、自動文書送り装置内部の通路に最上部の紙シートを運ぶための用紙投入トレーの近くに配置される。支持モジュールは、ピックアップ・モジュールを支持し、ピックアップ・モジュールを上昇させるか、または下降させるかのいずれかのために回転され、その点で支持モジュールには、その側壁上の維持部分がある。用紙停止モジュールは、ケーシングに一体化され、停止板および伝動部材を含む。伝動部材の第一端部は、維持部分と接触している。伝動部材の第二端部は停止板と一体化している。支持モジュールおよびピックアップ・モジュールが下方に回転されるとき、停止板は、最上部の紙シートが通路に運ばれることができるように、給紙位置に垂直に移動される。支持モジュールおよびピックアップ・モジュールが上方に回転されるとき、停止板は、最上部の紙シートが通路に運ばれるのを遅らせるために、給紙位置に垂直に移動される。
【００２０】
一実施形態において、自動文書送り装置はさらに、給紙機構によって送り込まれる最上部の紙シートを画像処理モジュールに運ぶために、給紙機構の近くに配置される転送モジュールを含む。
【００２１】
一実施形態において、自動文書送り装置はさらに、画像処理モジュールによって処理された最上部の紙シートを取り出すために、転送モジュールの近くに配置される取り出しモジュールを含む。
【００２２】
一実施形態において、自動文書送り装置はさらに、用紙取り出しトレーを含み、そこで画像処理モジュールによって処理された最上部の紙シートは、用紙取り出しトレーに取り出される。
【００２３】
本発明の上記内容は、以下の詳細な説明および添付図面を検討した後、当業者にとってより容易に明らかになるであろう。
【発明を実施するための最良の形態】
【００２４】
本発明は、これから以下の実施形態を参照して、より明確に説明される。本発明の好適な実施形態の以下の説明は、図示および説明目的のみのために本明細書に提示されることに留意しなくてはならない。それは、包括的または開示される厳密な形式に限定されることを目的としていない。
【００２５】
図２ａを参照すると、本発明の好適な実施形態による事務機器とともに使用するための自動文書送り装置の概略断面図が図示される。自動文書送り装置２０は、ケーシング２１、給紙機構２２、転送モジュール２３、取り出しモジュール２４、用紙投入トレー２５および用紙取り出しトレー２６を主として含む。図２ａに示されるとおり、給紙機構２２は、スタンバイ位置にある。当事務機器はさらに、自動文書送り装置２０の下に画像処理モジュール３およびガラス台４を含む。本発明の事務機器は、プリンター、スキャナー、ファックス装置、コピー機または多機能周辺機器などを含む。以下に、本発明は、スキャナーを参照して図示される。
【００２６】
スキャンされる多量の紙シート２５１が用紙投入トレー２５に置かれた後、給紙機構２２は、最上部の紙シートを１枚ずつ取り、自動文書送り装置２０内部の通路に連続して入れる可能性がある。次に、紙シート２５１は、紙シート２５１の第一面が画像処理モジュール３によってスキャンされるように、ガラス台４を越えて転送モジュール２３によって運ばれる。第一面がスキャンされた紙シート２５１は、その後取り出しモジュール２４によって用紙取り出しトレー２６に取り出される。二重走査操作を実行する目的で、転送モジュール２３はさらに、取り出しモジュール２４の近くの反転部材２３１を含む。紙シート２５１の第一面がスキャンされ、紙シート２５１の過半数が用紙取り出しトレー２６に取り出された後、紙シート２５１は、反転部材２３１によってひっくり返され、その後、通路に送り込まれる。次に、紙シート２５１は、紙シート２５１の第二面が画像処理モジュール３によってスキャンされるように、ガラス台４を越えて転送モジュール２３によって運ばれる。
【００２７】
図２ｂは、図２ａの自動文書送り装置の給紙機構を説明する概略斜視図である。図２ａおよび図２ｂを参照してください。給紙モジュール２２は、ピックアップ・モジュール２２１、支持モジュール２２２および用紙停止モジュール２２３を主として含む。ピックアップ・モジュール２２１は、用紙投入トレー２５の近くに配置され、ピックアップ・ローラー２２１１および分離ローラー２２１２を含む。分離ローラー２２１２は、ピックアップ・ローラー２２１１の近くに配置され、分離ローラー車軸２２１３の周りで覆われる。支持モジュール２２２は、ピックアップ・モジュール２２１を支持するために使用される。支持モジュール２２２の両端部もまた、分離ローラー２２１２の分離ローラー車軸２２１３の周りで覆われ、その結果分離ローラー車軸２２１３が作動機構２２４によって駆動されるとき（図２ｃに示されるとおり）、支持モジュール２２２は、分離路ラー車軸２２１３の周りで枢動可能である。支持モジュール２２２の回転時に、ピックアップ・ローラー２２１１および分離ローラー２２１２は、上げられるか、または下げられるかのいずれかである。ピックアップ・ローラー２２１１が、紙シート２５１に接触するように下げられるとき、紙シート２５１は、ピックアップ・ローラー２２１１によって送り込まれる。分離ローラー２２１２は、最上部の紙シート２５１を多量の紙シートから分離するように回転され、それによって転送モジュール２３に１枚の紙シートだけを取る。
【００２８】
支持モジュール２２２には、それぞれ軸の相対する側２２２１にある２つの維持部分２２２２がある。例となる維持部分２２２は、突出部であり、それは、支持モジュール２２２の側壁２２２１上に一体化して形成される可能性がある。支持モジュール２２２が回転されると、維持部分２２２２も回転される。
【００２９】
用紙停止モジュール２２３は、支持モジュール２２２の側壁の側およびピックアップ・ローラー２２１１と分離ローラー２２１２の間に配置される。ピックアップ・モジュール２２１のピックアップ・ローラー２２１１が、図２ａおよび２ｂに示されるとおりスタンバイ位置に持ち上げられるとき、用紙停止モジュールは、紙シート２５１が給紙ポートに運ばれるのを妨げられるように、用紙投入トレー２５上の多量の紙シート２５１の前端部で維持される。一方で、ピックアップ・モジュール２２１のピックアップ・ローラー２２１１が図２ｅに示されるとおり給紙位置まで下げられるとき、最上部の紙シートは、用紙停止モジュール２２３によって停止されることなく、給紙ポートに運ばれる可能性がある。図２ｂを再度参照してください。用紙停止モジュール２２３は、２つの伝動部材２２３１および２つの停止板２２３２を含む。本実施形態においては、伝動部材２２３１には、Ｌ字形横断面がある。Ｌ字形伝動部材２２３１の短辺には、支持モジュール２２２の維持部分２２２２と接触している接触部分２２３３がある。Ｌ字形伝動部材２２３１の長辺には、停止板２２３２の上端部を固定するためのクランプ部分２２３４がある。停止板２２３２の上端部がクランプ部分２２３４によって固定されるので、停止板２２３２は、垂直に上げられたり、または下げられたりする。なおその上に、枢動可能軸２２３５は、Ｌ字形伝動部材２２３１の直角の角、すなわちクランプ部分２２３４と接触部分２２３３の接続領域に配置される。伝動部材２２３１は、枢動可能軸２２３５の周りで枢動可能である。
【００３０】
本発明の特徴に従って、図２ａおよび２ｅに示されるとおり、枢動可能な軸２２３５の両末端部を保持するために、保持アーム２１１は、ケーシング２１の内面から突き出ている。結果として、用紙停止モジュール２２３は、支持モジュール２２２の側壁２２２１の側に配置され、伝動部材２２３１の接触部分２２３３は、支持モジュール２２の対応する維持部分２２２２の側に配置される。
【００３１】
図２ａおよび２ｂを再度参照してください。自動文書送り装置２０内部の制御回路によって給紙指示が受けられない場合、ピックアップ・ローラー２２１１は、紙シート２５１に接触することなくスタンバイ位置まで持ち上げられる。一方、伝動部材２２３１の接触部分２２３３は、支持モジュール２２の維持部分２２２２によって抑制されない。用紙停止モジュール２２３の重量のために、停止板２２３２は、停止板２２３２が多量の紙シート２５１の前端部で維持される用紙停止位置まで下げられる。この状況下で、紙シートは、給紙ポートに運ばれるのを妨げられる。
【００３２】
図２ｄ，２ｅおよび２ｆを参照してください。給紙指示が、自動文書送り装置２０の内部の制御回路によって受けられる場合、支持モジュール２２２およびピックアップ・ローラー２２１１は、最下部位置に下方に回転する作動機構２２４によって駆動される。支持モジュール２２２の下方への回転の後、維持部分２２２２は、Ｌ字形伝動部材２２３１の接触部分２２３３を前方へ押すために、下方に回転される。伝動部材２２３１が枢動可能な軸２２３５の周りで枢動可能であるので、停止板２２３２は、垂直に持ち上げられる。ピックアップ・ローラー２２１１が最上部の紙シート２５１と接触するまで、停止板２２３２は、給紙位置で固定される。一方、最上部の紙シート２５１は、停止板２２３２によって停止されることなく、給紙ポートに運ばれる可能性がある。
【００３３】
自動文書送り装置２０のセンサー（図示せず）が、紙シート２５１が給紙ポートに送り込まれたことを探知するとき、支持モジュール２２２およびピックアップ・ローラー２２１１は、図２ａに示されるとおり、最初の位置まで上方へ回転するように、作動機構２２４によって駆動される。一方、伝動部材２２３１の接触部分２２３３は、支持モジュール２２の維持部分２２２２によって抑制されない。用紙停止モジュール２２３の重量のために、停止板２２３２は、停止板２２３２が多量の紙シート２５１の前端部で維持される用紙停止位置まで下げられる。この状況下で、紙シートは、給紙ポートに運ばれるのを妨げられる。紙シート２５１が用紙取り出しトレー２６に取り出されるまで、上記手順は、残りの紙シートを１枚ずつ連続して送り込むように繰り返される。
【００３４】
二重走査操作を実行する目的で、紙シート２５１の第一面がスキャンされ、紙シート２５１の過半数が用紙取り出しトレー２６に取り出された後、紙シート２５１は、反転部材２３１によってひっくり返され、その後、通路に送り込まれる。次に、紙シート２５１は、紙シート２５１の第二面が画像処理モジュール３によってスキャンされるように、ガラス台４を越えて転送モジュール２３によって運ばれる。紙シート２５１が反転部材２３１によってひっくり返され、通路に運ばれるとき、紙シート２５１が用紙投入トレー２５よりむしろ用紙取り出しトレー２６から来るので、支持モジュール２２２およびピックアップ・ローラー２２１１は、図２ａおよび２ｂに示されるとおり最初の位置で留め置かれる。この状況下で、残りの紙シート２５１は、給紙ポートに運ばれるのを妨げられる。
【００３５】
上記実施形態から、本発明の自動文書送り装置を使用することによって二重走査操作を実行するために,紙シートがひっくり返され、通路に送り込まれるとき、停止板を回転させる余分な手順は、省かれる可能性がある。結果として、残りの紙シートは、紙シートを停止する性能を高めるために、用紙投入トレー上に正確に置かれる。さらに、用紙停止モジュールの停止板が、支持モジュールおよびピックアップ・モジュールの下方回転または上方回転時に給紙位置または用紙停止位置に移動されるので、用紙停止モジュールの枢動可能な軸を駆動するために、追加のモーターを必要としない。その結果、自動文書送り装置の製造原価は削減され、操作上の負担もまた縮小される。
【００３６】
本発明が現在最も実用的かつ好適な実施形態であるとみなされるものに関して説明されてきたが、本発明は、開示される実施形態に限定される必要はないことが理解されなくてはならない。一方、最も広い解釈と一致しなくてはならない添付請求項の精神および範囲内に含まれるさまざまな修正および類似の装置を、すべての当該修正および類似の構造を網羅するために、対象に取り扱うことを目的とする。
【図面の簡単な説明】
【００３７】
【図１ａ】事務機器とともに使用するための従来の自動文書送り装置を説明する概略断面図である。
【図１ｂ】図１ａの自動文書送り装置の用紙停止モジュールを説明する概略斜視図である。
【図２ａ】本発明の好適な実施形態による、スタンバイ位置の自動文書送り装置を説明する概略断面図である。
【図２ｂ】図２ａの自動文書送り装置の給紙機構を説明する概略斜視図である。
【図２ｃ】給紙機構と作動機構の間の接続を説明する概略斜視図である。
【図２ｄ】給紙位置にある図２ａの自動文書送り装置の給紙機構を説明する概略斜視図である。
【図２ｅ】給紙位置にある自動文書送り装置を説明する概略断面図である。
【図２ｆ】自動文書送り装置を説明する概略部分斜視図である。
【符号の説明】
【００３８】
３        画像処理モジュール
４        ガラス台
１０      自動文書送り装置
１１      ピックアップ・モジュール
１２      転送モジュール
１３      取り出しモジュール
１４      用紙投入トレー
１５      用紙取り出しトレー
１６      ピックアップ・ローラー
１７      分離ローラー
１８      用紙停止モジュール
１９      画像処理モジュール
２０      自動文書送り装置
２１      ケーシング
２２      給紙機構
２３      転送モジュール
２４      取り出しモジュール
２５      用紙投入トレー
２６      用紙取り出しトレー
１２１    反転部材
１４１    紙シート
１８１    回転軸
１８２    クランプ要素
１８３    停止板
１８４    ばね
１９１    ガラス台
２１１    保持アーム
２２１    ピックアップ・モジュール
２２２    支持モジュール
２２３    用紙停止モジュール
２２４    作動機構
２３１    反転部材  転送モジュール
２５１    紙シート
２２１１  ピックアップ・ローラー
２２１２  分離ローラー
２２１３  分離路ラー車軸
２２２１  軸の相対する側
２２２２  維持部分
２２３１  Ｌ字形伝動部材
２２３２  停止板
２２３３  接触部分
２２３４  クランプ部分
２２３５  枢動可能軸
【図１ａ】
2008290881.tif 000003
【図１ｂ】
2008290881.tif 000004
【図２ａ】
2008290881.tif 000005
【図２ｂ】
2008290881.tif 000006
【図２ｃ】
2008290881.tif 000007
【図２ｄ】
2008290881.tif 000008
【図２ｅ】
2008290881.tif 000009
【図２ｆ】
2008290881.tif 000010
【外国語明細書】
2008290881.tif 000011
2008290881.tif 000012
2008290881.tif 000013
2008290881.tif 000014
2008290881.tif 000015
2008290881.tif 000016
2008290881.tif 000017
2008290881.tif 000018
2008290881.tif 000019
2008290881.tif 000020
2008290881.tif 000021
2008290881.tif 000022
2008290881.tif 000023
2008290881.tif 000024
2008290881.tif 000025
2008290881.tif 000026
2008290881.tif 000027
2008290881.tif 000028
2008290881.tif 000029
2008290881.tif 000030
2008290881.tif 000031
2008290881.tif 000032
2008290881.tif 000033
2008290881.tif 000034
2008290881.tif 000035
2008290881.tif 000036